(57)【要約】      （修正有）【課題】夏季にあっては着用者が冷感ないしは清涼感を得ることができ、また冬季にあっては暖気を長時間維持できる保冷兼保温衣料品を提供する。【解決手段】衣料品Ｗは夏季及び冬季兼用可能であり、夏季には保冷剤Ｃを、冬季には保温材を装着する。衣料品Ｗの収納部１２、２２は、前身頃１０の左右腋下部１１又は／及び後見頃２０の左右腋下部２１の表面１０ａ又は裏面１０ｂに縫着する。収納部１２の形状と大きさは、市販されている保冷剤Ｃの一般的な形状が、例えば、約７０ｍｍ×９０ｍｍ〜約８０ｍｍ×１２０ｍｍの矩形状であるから、保冷剤Ｃとほぼ相似形の矩形とし、その大きさは、少なくとも上記サイズよりも大とする。収納部１２は襟刳り近傍に縫着することができる。【選択図】図１
0003179968.tif 000002
【実用新案登録請求の範囲】
【請求項１】
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えたことを特徴とする保冷兼保温衣料品。
【請求項２】
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えると共に、後見頃の襟刳り近傍に保冷剤・保温剤収納部を設けたことを特徴とする保冷兼保温衣料品。
【請求項３】
左右腋下部の保冷剤・保温剤収納部は少なくとも身返し線から前身頃寄りとすると共に、該保冷剤・保温剤収納部の縫着はタテ、斜め又はヨコ何れかの態様としていることを特徴とする請求項１又は請求項２に記載した保冷兼保温衣料品。
【請求項４】
保冷剤・保温剤収納部は通気性の良い生地体であることを特徴とする請求項１〜求項３に記載した保冷兼保温衣料品。
【請求項５】
前記保冷剤・保温剤収納部に保冷剤又は保温剤を収納すると共に、各種植物のエッセンスを含浸させた芳香剤を収納したことを特徴とする請求項１〜請求項４に記載した保冷兼保温衣料品。
【考案の詳細な説明】
【技術分野】
【０００１】本考案は保冷兼保温衣料品に係り、より詳しくは、夏季にあっては着用者が冷感ないしは清涼感と共に、熱中症を防ぎ、かつ精神的な安らぎを得ることができ、また冬季にあっては暖気を長時間感じると共に、風邪、インフルエンザ等の予防ともなる保冷兼保温衣料品に関する。
【背景技術】
【０００２】２０１１年３月に発生した東日本大震災は戦後最悪の震災といわれている。多数の人的被害と共に原子力発電所の被害により、原発電力の是非と方向性が各分野で論議されていると共に震災以後、節電、クールビズ等が要望されている。その一対応策として、例えば、多数のサラリーマンやＯＬが毎日通勤する都市部における地下鉄駅の冷房が中止となっているところもある。多くの勤労者は夏季における満員電車での通勤で汗びっしょりになり、かつ自己や他人の発汗による異臭・不快感などで職場についてもすぐに勤労意欲が起きないという不具合がある。さらに冬季は、家庭、職場や公共施設等における節電対策による暖房温度が下げられるので、風邪やインフルエンザ流行の要因ともなっている。【０００３】身体を冷却するために、人体脇部の冷却・保温効果を発揮するためのシャツ構造の提供を課題として、特許文献１（第１頁、図２参照）が開示されている。その解決手段は、体側脇部と腕側脇部にポケットを各々設けるとともに、互いのポケット開口部を近接させて位置させたことを特徴としている。また保冷材の出し入れの容易性を担保しながら、保冷材の冷却効果を向上することのできるシャツを提供するとして、特許文献２（第１頁、図２参照）が開示されている。その課題解決手段は、前身頃の裏側に形成された保冷材収納部を備え、前記保冷材収納部は、前記シャツの襟刳方向または前立て方向に向かって開口する開口部を備えたことを特徴としている。【０００４】特許文献１は、人体脇部を冷やす点では効果的な保冷手段ではあるが、両腋窩に保冷材を挟着するので、両肩が上方にせり上がった体型となり、違和感があると共にそのスタイルを他人から見れば異常感を感じさせるという問題点がある。特許文献２は保冷材の着脱を重視しているので、保冷材収納部はシャツの襟刳方向または前立て方向近傍に設けられているので、特許文献１と同様に、保冷材を保冷材収納部に着装すれば、上半身における胸部や肩部近辺は異常に隆起した状態となり、違和感ないしは異常感を感じさせ、ファッション性の面できわめて劣悪となり、特に若いＯＬや学生には不評と考えられる。
【先行技術文献】
【特許文献】
【０００５】
【特許文献１】実用新案登録第３１７２４９０号公報
【特許文献２】実用新案登録第３１５３５４９号公報
【考案の概要】
【考案が解決しようとする課題】
【０００６】そこで、本願考案者は、上記従来技術が有する問題点、不具合等に鑑みて鋭意検討し、人体における首元や腋の下には太い動脈が通っていることに着目し、本願考案を完成したものである。本願考案が解決しようとする第１の課題は、夏季にあっては、発汗作用を抑えて清涼感を感じると共に、熱中症を防ぎ、かつ芳香を発する保冷衣料品を提供することであり、第２の課題は、冬季にあっては、カイロ等の保温剤を装着して長時間、身体に暖気を付与する保温衣料品を提供することであり、第３の課題は、身体の保冷・保温を効果的に行い、かつ保冷剤・保温剤はもちろん芳香剤の着脱が簡便に行える保冷兼保温衣料品を提供することであり、第４の課題は、保冷剤・保温剤及び芳香剤の装着が他人には気付かれなく、ファッション的にもなんら違和感もなく、芳香剤の香りによる爽やかさと癒し効果を享受できる保冷兼保温衣料品を提供することである。
【課題を解決するための手段】
【０００７】課題を解決するための手段は、本願、実用新案登録請求の範囲の各請求項に記載の考案であり、その具体的な解決手段は、以下の通りである。
＊＊＊＊＊＊＊＊＊＊＊＊＊＊＊＊＊＊＊＊＊＊＊＊＊＊＊＊＊＊＊＊＊＊＊＊＊＊＊
本願考案における実用新案登録請求の範囲、明細書及び要約書等に記載の用語についての解釈上の疑義を解消すべく、以下に本考案の実用新案登録請求の範囲、明細書等に記載する用語の説明を行うこととする。
＜用語の説明＞
○衣料品とは、内衣及び外衣の上衣全般をいう。具体例としては、下着、パジャマ、寝間着、シャツ類、洋服、コート、ベスト、学生服、作業服、運動用特殊服、和服、仮装用衣服、ぬいぐるみ等である。
○保冷剤とは、水、化学物質等による化学反応によってつくられた冷媒を軟質樹脂製等の袋体に封入されたものをいう。保冷時間としては少なくとも約１．５時間〜２時間超で、例えば、生鮮食料品等の保存等を目的として用いられ、本願における保冷衣料品として採用されるのは、サイズが約７０ｍｍ×９０ｍｍ〜約８０ｍｍ×１２０ｍｍ、重量が約２０ｇ〜５０ｇが好ましい。市販価格も廉価で、家庭の冷蔵庫又は冷凍庫で凍結、再利用可能である。
○保温剤とは、紙、不織布又は軟質樹脂製の袋体に封入され、袋体内の化学反応により発熱を利用して長時間温熱を保持する使い捨てカイロ等をいう。
○芳香剤とは、各種の植物、例えば草花や果実の精油を抽出したエッセンスを紙製又は不織布の板状体に含浸させてなる。
＊＊＊＊＊＊＊＊＊＊＊＊＊＊＊＊＊＊＊＊＊＊＊＊＊＊＊＊＊＊＊＊＊＊＊＊＊＊＊【０００８】第１の考案は、請求項１に記載の考案であり、
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えたことを特徴としている。【０００９】第２の考案は、請求項２に記載の考案であり、
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えると共に、後見頃の襟刳り近傍に保冷剤・保温剤収納部を設けたことを特徴としている。【００１０】第３の考案は、請求項３に記載の考案であり、
左右腋下部の保冷剤・保温剤収納部は少なくとも身返し線から前身頃寄りとすると共に、該保冷剤・保温剤収納部の縫着はタテ、斜め又はヨコ何れかの態様としていることを特徴としている。【００１１】第４の考案は、請求項４に記載の考案であり、
保冷剤・保温剤収納部は通気性の良い生地体であることを特徴としている。【００１２】第５の考案は、請求項５に記載の考案であり、
前記保冷剤・保温剤収納部に保冷剤又は保温剤を収納すると共に、各種植物のエッセンスを含浸させた芳香剤を収納したことを特徴としている。
【考案の効果】
【００１３】請求項１及び請求項２によれば、
保冷剤・保温剤収納部に保冷剤及び／又は芳香剤を装着すれば、夏季にあっては、発汗作用を抑えて清涼感を感じると共に、熱中症を防ぎ、かつ芳香を発する保冷衣料品の提供という第１の課題を解決することができた。すなわち、人体における腋下の太い動脈に保冷剤を当接すると共に、上腕部で意識的又は無意識に腋下部に押圧することにより発汗作用は抑えられるので清涼感を感じると共に熱中症の予防となり、かつ芳香が発せられるので、保冷衣料品の着用者は仕事や家事はもちろん、屋内外で快適に過ごすことができる。冬季にあっては、カイロ等の保温剤を装着して長時間、身体に暖気を付与する保温衣料品の提供という第２の課題を解決することができた。すなわち、冬季にあっては、カイロ等の保温剤を内衣又は外衣の保温剤収納部に装着することができるので、家庭、職場又は公共施設における低暖房による節電に対応し、長時間、身体に暖気を付与することができる。また風邪やインフルエンザの罹患の予防ともなる。【００１４】請求項３、請求項４及び請求項４によれば、
保冷剤・保温剤収納部は少なくとも身返し線から前身頃寄りとしていると共に、保冷剤・保温剤収納部の縫着はタテ、斜め又はヨコ何れかの態様としており、また保冷剤・保温剤収納部は通気性の良い生地体とし、さらに、保冷剤・保温剤収納部には保冷剤・保温剤と共に芳香剤が装着されるので、身体の保冷・保温が効果的に行われ、かつ保冷剤・保温剤はもちろん芳香剤の着脱が簡便に行える保冷兼保温衣料品の提供という第３の課題と共に、保冷剤・保温剤及び芳香剤の装着が他人には気付かれなく、ファッション的にもなんら違和感もなく、芳香剤の香りによる爽やかさと癒し効果を享受できる保冷兼保温衣料品の提供という第４の課題を解決することができた。
【図面の簡単な説明】
【００１５】
【図１】本考案に係る保冷兼保温衣料品（以下、衣料品という）の一実施形態であるベスト型内衣を示すもので（イ）は正面図、（ロ）は背面図である。
【図２】保冷剤・保温剤収納部（以下、収納部という）を上衣に縫着する態様を説明する説明図で、（イ）はタテ型、（ロ）は傾斜型、（ハ）はヨコ型を示している。
【図３】本考案に係る衣料品の一実施形態であるカッターシャツを示す正面図である。
【図４】本考案に係る衣料品の一実施形態であるトレーナーを示す正面図である。
【図５】本考案に係る衣料品の一実施形態である男性用スーツを示す正面図である。
【図６】本考案に係る衣料品の一実施形態である女性用和服（浴衣等）を示す正面図である。
【考案を実施するための形態】
【００１６】本考案に係る衣料品Ｗの実施形態を図面に基づいて説明する。衣料品Ｗは夏季及び冬季兼用可能であり、その説明は夏季に使用する保冷剤Ｃを装着する保冷衣料品Ｗを中心に説明する。図１（イ）、（ロ）は、本考案に係る衣料品Ｗの一実施形態であるベスト型内衣を示している。収納部１２は、前身頃１０の左右腋下部１１又は／及び後見頃２０の左右腋下部２１の表面１０ａ又は裏面１０ｂに縫着することができる。収納部１２の形状と大きさは、市販されている保冷剤Ｃの一般的な形状が、例えば、約７０ｍｍ×９０ｍｍ〜約８０ｍｍ×１２０ｍｍの矩形状であるから、保冷剤Ｃとほぼ相似形の矩形とし、その大きさは、少なくとも上記サイズよりも大とされている。収納部１２は襟刳り近傍に縫着することができる。人体における首元や腋の下には太い動脈が通っているので、襟刳り近傍や左右腋下部１１、２１を保冷剤Ｃで冷却するのは、あたかも車におけるエンジンをラジエーターで冷却するようなものであり、極めて合理的かつ効果的な保冷手段である。
【００１７】上衣における左右腋下部１１（２１）に縫着する収納部１２の態様を図２に基づいて説明する。１５は、前身頃１０と後見頃２０が接合・縫着された身返し線で、収納部１２（２２）は、図２（イ）に示すように身返し線１５に沿うようにタテ型に縫着することができる。１２ａ、２２ａは開口で保冷剤Ｃ及び／又は芳香剤Ａが着脱される。図２（ロ）に示すように収納部１２を左右腋下部１１（２１）に１個設けるときは、前身頃１０寄り又は身返し線１５を跨ぐように傾斜して縫着することができる。これにより、保冷剤Ｃ及び芳香剤Ａの着脱が容易、かつ他人に気付かれなく行うことができる。図２（ハ）に示すように収納部１２をヨコ型とすることもできる。各収納部１２の素材は通気性の良い生地体、例えば、メッシュ状の生地体が好ましい。
【００１８】図３は、衣料品Ｗのカッターシャツにおける前身頃１０の裏面１０ｂに収納部１２を設けたものであり、サラリーマン等は勤務中、職場でスーツを脱いで仕事をする機会が多く、保冷剤Ｃ入りの収納部１２はカッターシャツの裏面１０ｂにあるので、同僚たちに気付かれなく快適に勤務することができる。
【００１９】図４は、衣料品Ｗがトレーナーであり、各種のスポーツを行うときに好適である。収納部１２は前身頃１０の左右腋下部１１の裏面１０ｂに縫着される。収納部１２は左右腋下部１１にあるから身体の筋肉、骨等の運動にも何らの影響を受けることがなく、快適かつ円滑にランニングやトレーニングを行うことができる。
【００２０】図５は、衣料品Ｗが男性用スーツであり、男性社員は気温が３０℃以上の真夏日でも、得意先との会議、打ち合わせ等においてはスーツを着用しなければならないときがあり、このようなとき、図示するように左右腋下部１１に設けた収納部１２内に保冷剤Ｃを入れて会議等に臨めば、会議中においても涼しげにかつ爽やかに議題に集中できると共に、収納部１２は円弧状となっている左右腋下部１１に形成されているので、外見上何らの違和感もなく同僚や得意先の人にも気づかれることがない。さらに屋外でのスーツ着用も何ら苦にならない効果を奏する。
【００２１】図６は、本考案に係る衣料品Ｗが女性用和服（浴衣等）を示している。一般的に和服そのものが通気性の面で不都合であるが、職業上又は儀礼的に夏季といえども和服を着用しなければならないときがあり、従前より保冷具ないしはその保冷方法等が待望されていた。本考案における収納部１２は和服における前身頃１０の左右腋下部１１に縫着されているので、何らの違和感もなくそのスタイルにも何ら影響がなく、したがって他人に保冷剤Ｃを装着した和服を着用していると感づかれることがない。
【００２２】本考案に係る衣料品Ｗについて、前述のように夏季における実施態様等について記述したが、収納部１２、２２は冬季にはカイロ等の保温材Ｈが内衣又は外衣に装着され、屋内の節電や屋外の寒気から風邪やインフルエンザ等への罹患予防とすることができる社会的にも有意義な考案である。
【００２３】以上、本考案の保冷兼保温衣料品について、その実施形態に基づいて説明したが、本考案は、上記実施形態に記載した構成に限定されるものではなく、その趣旨を逸脱しない範囲において適宜その構成を変更することができる。
【符号の説明】
【００２４】Ｗ…保冷兼保温衣料品、Ｃ…保冷剤、Ｈ…保温剤、Ａ…芳香剤、１０…前身頃、１１…左右腋下部、１２（２２）…保冷剤・保温剤収納部、１５…身返し線、２０…後身頃、２１…左右腋下部、
【図１】
0003179968.tif 000003
【図２】
0003179968.tif 000004
【図３】
0003179968.tif 000005
【図４】
0003179968.tif 000006
【図５】
0003179968.tif 000007
【図６】
0003179968.tif 000008
【手続補正書】
【提出日】平成24年9月8日(2012.9.8)
【手続補正１】
【補正対象書類名】実用新案登録請求の範囲
【補正対象項目名】全文
【補正方法】変更
【補正の内容】
【実用新案登録請求の範囲】
【請求項１】
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えたことを特徴とする保冷兼保温衣料品。
【請求項２】
保冷又は保温衣料品であって、前身頃の左右腋下部又は／及び後見頃の左右腋下部の表面又は裏面に保冷剤又は保温剤を着脱可能に収納する１〜複数の保冷剤・保温剤収納部を備えると共に、後見頃の襟刳り近傍に保冷剤・保温剤収納部を設けたことを特徴とする保冷兼保温衣料品。
【請求項３】
左右腋下部の保冷剤・保温剤収納部は少なくとも身返し線から前身頃寄りとすると共に、該保冷剤・保温剤収納部の縫着はタテ、斜め又はヨコ何れかの態様としていることを特徴とする請求項１又は請求項２に記載した保冷兼保温衣料品。
【請求項４】
保冷剤・保温剤収納部は通気性の良い生地体であることを特徴とする請求項１〜請求項３の何れかに記載した保冷兼保温衣料品。
【請求項５】
前記保冷剤・保温剤収納部に保冷剤又は保温剤を収納すると共に、各種植物のエッセンスを含浸させた芳香剤を収納したことを特徴とする請求項１〜請求項４の何れかに記載した保冷兼保温衣料品。